(57)【要約】【課題】  従来のバットグアノには特に課題はないが、バットグアノと同様の肥効を発揮できる、葉面散布剤や水耕栽培用液肥等の液状の植物用活性剤の製作が求められている。【解決手段】  本件出願の植物用グアノ溶解液製造方法は、グアノを酸性液に溶解させ、そのグアノ溶解液から液体部分を取り出すようにした方法である。この場合、グアノ溶解液中の固形物を沈殿させて液体部分を取り出すようにすることもできる。グアノ溶解液の酸性度を中和液で希釈化することもできる。本件出願の植物用グアノ溶解液は植物用グアノ溶解液製造方法で製造されたものである。【選択図】図１
2009073690.tif 000002
【特許請求の範囲】
【請求項１】
グアノを酸性液に溶解させ、その溶解液から液体部分を取り出すことを特徴とする植物用グアノ溶解液製造方法。
【請求項２】
請求項１記載の植物用グアノ溶解液製造方法において、グアノを酸に溶解させた溶解液中の固形物を沈殿させてから液体部分を取り出すことを特徴とする植物用グアノ溶解液製造方法。
【請求項３】
請求項１又は請求項２記載の植物用グアノ溶解液製造方法において、グアノを酸に溶解させた溶解液の酸性度を中和液で希釈化したことを特徴とする植物用グアノ溶解液製造方法。
【請求項４】
請求項１乃至請求項３のいずれかに記載の植物用グアノ溶解液製造方法で製造されたことを特徴とする植物用グアノ溶解液。
【発明の詳細な説明】
【技術分野】
【０００１】
本発明は植物の葉面散布剤や水耕栽培用液肥等として使用可能な植物用グアノ溶解液に関するものである。
【背景技術】
【０００２】
従来、植物栽培時に土壌に施す肥料として、こうもりの糞や死体からなるグアノ（以下「バットグアノ」とする。）を粉砕した粒状のものがあった（特許文献１）。原料となるバットグアノには有機リン酸が多く（約２８％）配合されているため、生育中の植物にバットグアノの肥料を施すと植物の生育が著しく促進される。また、バットグアノに含まれる有機リン酸には、土壌に溶け込み易い水溶性リン酸と、土壌に溶け込み難いク溶性リン酸の二種類があるため、肥効も長く持続する。
【０００３】
【特許文献１】実公平１−１２９２４０号公報
【発明の開示】
【発明が解決しようとする課題】
【０００４】
従来の粒状のバットグアノ肥料には特に課題はないが、バットグアノをはじめとする各種グアノは、元来は水溶性でないため水に溶かして水溶液とすることはできない。液状化できれば葉面散布剤や水耕栽培用液等として活用でき、活用範囲が広がるが、未だ液状のグアノは存在しない。
【課題を解決するための手段】
【０００５】
本件発明者は長年、鋭意研究を重ねて本願発明の植物用グアノ溶解液製造方法とその製造方法で製造された植物用グアノ溶解液を開発した。
【０００６】
本件出願の植物用グアノ溶解液製造方法は、グアノを酸性液に溶解させ、そのグアノ溶解液から液体部分を取り出すようにした方法である。この場合、グアノ溶解液中の固形物を沈殿させて液体部分を取り出すようにすることもできる。グアノ溶解液の酸性度を中和液で希釈化することもできる。
【０００７】
本件出願の植物用グアノ溶解液は植物用グアノ溶解液製造方法で製造されたものである。
【発明の効果】
【０００８】
本件出願の植物用グアノ溶解液製造方法によれば、これまで困難であった液状化が酸性液の使用により容易に実現できる。
【０００９】
こうもりの糞や死体からなるグアノ（バットグアノ）等の各種グアノを酸性液に溶解させ、その溶解液から液体部分を取り出して植物用グアノ溶解液とするため、次の各種効果がある。
（ａ）固形物が殆ど含有されないため、植物への葉面散布剤として使用することができ、グアノに含有される有機リン酸やカルシウムが葉の表裏面から効率よく吸収される。
（ｂ）固形物が多少含有されていても水耕栽培用液肥として使用することができ、この場合は、グアノに含有される有機リン酸やカルシウムが植物の根から効率よく吸収される。
（ｃ）前記いずれの場合も、果実・稲などの収量が上がるため生産者の経済的利益が大きくなる。また、糖度も上がるため美味しい穀物や野菜や果物を収穫でき、高値での販売が可能となり、収益増につながる。
（ｄ）蘭、バラ等の花卉用植物に用いれば、色付きや花付きが良くなり、落花防止にもなる。
（ｅ）グアノ溶解液中の固形物を沈殿させて取り出した液体部分は噴霧器に入れて噴霧等しても噴霧器が目詰まりしにくいためスムーズな噴霧ができる。
（ｆ）グアノ溶解液の酸性度を中和液で希釈化した場合は、グアノに含有される有機リン酸やカルシウム等の成分が強過ぎて植物や土壌が損傷するといったこともない。また、再結晶化しにくいため、長期間保存しても液状のまま確保でき、必要時に何時でも液状で使用できる。
【発明を実施するための最良の形態】
【００１０】
（植物用グアノ溶解液製造方法の実施形態１）
本発明の植物用グアノ溶解液製造方法の実施形態の一例を図１（ａ）（ｂ）に基づいて説明する。本例の植物用グアノ溶解液製造方法は、次の（１）〜（３）の手順で植物用グアノ溶解液を製造する。
（１）所定量のグアノ１を所定濃度、所定量の酸性液２に投入し、溶解させる（図１（ａ）参照。）。
（２）グアノ１を溶解させた溶解液３を所定時間寝かせ、溶解液３中の固形物４を沈殿させる。
（３）固形物４が沈殿した溶解液３から、液体部分５を取り出して（図１（ｂ）参照。）、植物用グアノ溶解液とする。
得られた植物用グアノ溶解液は、必要に応じて中和液で酸性度を希釈化して保存したり使用したりする。
【００１１】
酸性液２に溶解されるグアノ１としては、例えばこうもりの糞や死体が化石化されて出来たもの（以下「バットグアノ」とする。）が用いられる。本実施形態においては、図１（ａ）に示すように、前記バットグアノ１は酸性液２に溶解させ易いように粉砕されて粉状又は粒状（ペレット状）とされている。このバットグアノ１は、天然の有機リン酸を豊富に含むことを特徴としており、東南アジア、特にフィリピン・マニラの洞窟から採取されたものが良質であって好ましい。このバットグアノは、粉状又は粒状のまま土壌に撒き、土壌用の肥料として使用することもできる。
【００１２】
前記バットグアノ１の成分組成は例えば以下の通りである。〔単位：１０ｇ／ｋｇ〕
水分：１．２
窒素全量（Ｎ）：０．０１
リン酸全量（Ｐ2Ｏ5）：２８．４０
ク溶性リン酸（Ｐ2Ｏ5）：１５．２２
カリウム全量（Ｋ2Ｏ）：０．０５
カルシウム全量（ＣａＯ）：４２．８５
マグネシウム全量（ＭｇＯ）：０．２３
ケイ酸全量（ＳｉＯ2）：４．４２
腐植酸：６．７９
【００１３】
バットグアノ１を溶解させる酸性液２（図１（ａ）参照。）としては、例えばクエン酸水溶液が用いられる。このクエン酸水溶液は、水にクエン酸粉末を溶解させて作ることができる。クエン酸水溶液の濃度は、例えば２重量％（水９８ｌに対してクエン酸粉末２ｋｇを溶解させる）とする等、任意とすることができる。また、酸性液２はクエン酸水溶液には限られず、塩酸、酢酸等、バットグアノを溶解させられる酸性液であれば任意のものを用いることができる。
【００１４】
前記酸性液２に溶解させるバットグアノ１の分量は、例えば濃度２％のクエン酸水溶液１００ｌに対して５ｋｇとする等、酸性液２に溶解可能な分量であれば任意の分量とすることができる。酸性液２にバットグアノ１を溶解させるときは、溶解させる分量のバットグアノ１を酸性液２に一度に投入することも、少しずつ投入することもできる。バットグアノ１を酸性液２に投入すると、バッドグアノ１の溶解が始まり、バットグアノ１に含まれるカルシウムと酸性液２が反応して泡が発生する。バットグアノ１を酸性液２に投入した後は、バットグアノ１と酸性液２の反応を促進させるためによく撹拌することが望ましい。このとき、バットグアノ１投入後にしばらく撹拌してそのまま放置することも、所定時間毎に定期的に撹拌することも、バットグアノ１と酸性液２の反応が収まったのを見計らって撹拌することも、常時撹拌することもできる。撹拌は、攪拌機を用いて行うこともできる。バットグアノ１を酸性液２に投入、撹拌させて酸性液と反応させることにより、バットグアノ１は、一部の固形物を残して溶解され、溶解液３ができる。溶解液３には、バットグアノに含まれる各成分（窒素、有機リン酸、カリウム、カルシウム、マグネシウム、ケイ酸、腐植酸）が溶かし込まれる。
【００１５】
酸性液２にバットグアノ１を溶解させて出来た溶解液３中には一部溶け残った固形物４が含まれるため、その固形物４を沈殿させるべく所定時間寝かせる（安置する）。寝かせる時間は、固形物４が完全に沈殿するのに十分な時間であれば任意の時間とすることができる。溶解液３を所定時間寝かせることによって沈殿する固形物４（図１（ｂ）参照。）は主にバットグアノ１に含まれていた石灰石成分（カルシウム）である。
【００１６】
固形物４が沈殿した溶解液３から、液体部分（上澄み液）５を取り出す。このとき、溶解液３を濾過して液体部分５を取り出すようにすることも、液体部分５を掬い取るようにすることもできる。このように固形物と分離させた液体部分５が植物用グアノ溶解液となる。溶解液３を濾過する場合は、例えば１５０メッシュの濾過膜を使用して液体部分５のみを取り出せるようにする。
【００１７】
（植物用グアノ溶解液製造方法の実施形態２）
本発明の植物用グアノ溶解液製造方法では、固形物４を沈殿させる工程を省き、固形物４が混入した状態の溶解液３を植物用グアノ溶解液とすることもできる。その場合、その植物用グアノ溶解液の使用の際に噴霧器等を使用すると固形物が目詰まりを起こすおそれがあるため、使用の際に噴霧器等、目の細かい機械は使わないようにする必要がある。
【００１８】
（植物用グアノ溶解液製造方法のその他の実施形態）
本発明の植物用グアノ溶解液製造方法においては、酸性液に溶解させるグアノはバットグアノに限られず、鳥の糞や死体が化石化されて出来たグアノ等、他の任意のグアノであってもよい。
【００１９】
（植物用グアノ溶解液の実施形態）
本発明の植物用グアノ溶解液は、前記各実施形態記載の植物用グアノ溶解液製造方法によって得られた植物用グアノ溶解液である。
【００２０】
この植物用グアノ溶解液は、原液のまま保管すると、含まれる成分が再結晶化するおそれがあるため、成分の再結晶化を防ぐために２〜３倍程度に水等の中和液で希釈して保管することもできる。
【００２１】
この植物用グアノ溶解液を葉面散布剤や水耕栽培用液肥として使用する場合、前記の原液を水等の中和液で３００倍〜１５００倍程度に希釈して使用する。このとき、希釈したグアノ溶解液が、ｐｈ６〜７前後（弱酸性〜中性）となるように調整することが望ましい。また、このとき用いる中和液は、水に限らず、他の中和液を用いることもできる。希釈したグアノ溶解液には、例えばリン酸が０．００１〜０．１％含まれる。このリン酸含有量は、一般的な葉面散布剤や水耕栽培用液肥のリン酸含有量とほぼ同程度である。
【産業上の利用可能性】
【００２２】
本発明の植物用グアノ溶解液製造方法によって製造した植物用グアノ溶解液は、葉面散布剤や水耕栽培用液肥に限らず、土壌に散布して土壌用肥料として使用することも当然可能である。
【図面の簡単な説明】
【００２３】
【図１】（ａ）は、本発明の植物用グアノ溶解液製造方法において、グアノを酸性液に溶解させる様子を示す説明図。（ｂ）は、本発明の植物用グアノ溶解液製造方法において、グアノを酸性液に溶解させた溶解液中の固形物を沈殿させた様子を示す説明図。
【符号の説明】
【００２４】
１  グアノ（バットグアノ）
２  酸性液
３  溶解液
４  固形物
５  液体部分
【図１】
2009073690.tif 000003